(57)【特許請求の範囲】
【請求項１】
メインパイプ（６）上に搭載された燃料タンク（３４）と、メインパイプ（６）の下方に配置されたエンジン（１０ａ、１０ｂ）と、前記燃料タンク（３４）の下方に配置された点火コイル（１６、１７）とを有する自動二輪車において、
前記エンジンが２気筒であり、前記点火コイル（１６、１７）が車体前後方向に整列配置されて前記２気筒に対応して２個設けられており、
前記メインパイプ（６）が、車幅方向に間隔を設けて配置された２本１対のパイプ（６ｃ、６ｄ）を含み、
前記１対のパイプ（６ｃ、６ｄ）間に架け渡され、該パイプ間に前記点火コイル（１６、１７）が位置するように構成された樹脂製の点火コイル保持ステー（２０）が設けられており、
前記点火コイル保持ステー（２０）が、前記点火コイル（１６、１７）を保持する車体前後方向に延在したベース（２１）を備え、
前記ベース（２１）には前記点火コイルの一部分が下方に臨むように開口が設けられているとともに、
前記２個の点火コイル（１６、１７）のうち車体前方寄りのもの（１６）を前記開口を通じて一部分が前記ベース（２１）の下方に臨むように上方から取り付け、
前記２個の点火コイル（１６、１７）のうち車体後方寄りのもの（１７）を前記開口を通じて一部分が前記ベースの上方に臨むように下方から取り付けることによって、該２個の点火コイル（１６、１７）のうち、車体後方寄りのもの（１７）を車体前方寄りのものに対して下方にずらせていることを特徴とする自動二輪車。
【請求項２】
前記メインパイプ（６）を構成する２本１対のパイプ（６ｃ、６ｄ）からそれぞれ下方に突出した１対の板部材（３３ａ、３３ｂ）からなるエンジンのハンガブラケット（３３）を備え、
前記１対の板部材（３３ａ、３３ｂ）の間の直上に前記車体後方寄りの点火コイル（１７）が配置されていることを特徴とする請求項１記載の自動二輪車。
【請求項３】
前記エンジン（１０）の気筒（１０ａ）の上部にカバーが設けられていることを特徴とする請求項１または２記載の自動二輪車。
【発明の詳細な説明】
【技術分野】
【０００１】
本発明は、自動二輪車に関し、特に、メインパイプ上に搭載された燃料タンクを有し、該燃料タンクの底面に対向して配置された点火コイルを良好に放熱できるとともに、燃料タンクの容量を縮小することなく、外観から目立ちにくいように燃料タンクの下方に点火コイルを保持できる点火コイル保持構造を有する自動二輪車に関する。
【背景技術】
【０００２】
自動二輪車の点火プラグに高電圧を印加させる点火コイルに関しては、車体への保持位置が種々提案されている。例えば、特開平１０−３２９７７２号公報には、自動二輪車において、レッグシールドに組み付けられる合成樹脂部品からなるロアカバー内に点火コイルを固定する点火コイル取付構造が開示されている。
【特許文献１】特開平１０−３２９７７２号公報
【発明の開示】
【発明が解決しようとする課題】
【０００３】
特許文献１に記載されている点火コイル保持構造では、合成樹脂部品からなるロアカバー内に点火コイルを固定しているので、点火コイルの放熱効果が期待できない。特に高出力のフルトランジスタ式点火装置の点火コイルでは一次コイルが発生する熱量が大きいので放熱対策が必要である。放熱効果を高めるために、フレームボディに金属製のステーを設け、このステーに点火コイルの鉄心部をボルトで締め付け固定する構造が考えられる。しかし、金属製ステーに点火コイルの鉄心部を取り付けると、ステーとフレームボディを含む閉磁路が生じ、この鉄損により二次電圧が低下する。そこで、ステンレス鋼等、非磁性体のワッシャを点火コイルの鉄心部とステーとの間に介在させ、さらにボルトやナットも非磁性体にする必要がある。
【０００４】
金属製ステーを使って熱の拡散を図るための方策として一次巻線への通電時間を短くすることも考えられるが、これでは二次電圧を高くすることができないために、空燃比やドライバビリティ向上の要請から一次巻線への通電時間を短くすることは現実的でない。
【０００５】
また、自動二輪車では、メインパイプの側面に点火コイルを配置することがあるが、カスタム系自動二輪車によく採用されるダブルクレードル式フレームのメインパイプのように車幅方向に２本一対のパイプを配してメインパイプを構成する場合、このメインパイプ側面に設けられる点火コイルを含めてメインパイプを跨ぐように燃料タンクを配置することになるので、燃料タンクの容量を大きく維持できない。
【０００６】
本発明の目的は、上記従来の課題を解決し、金属製ステーを介した熱放散に頼らずに点火コイルの熱効率を高めるのに好適な点火コイルの保持構造を有する自動二輪車を提供することにある。
【０００７】
また、本発明の他の目的は、点火コイルを外観から目立たなく配置するとともに、メインパイプの上に搭載する燃料タンクの容量を大きく維持することができる点火コイルの保持構造を有する自動二輪車を提供することにある。
【課題を解決するための手段】
【０００８】
前記目的を達成するために、本発明は、メインパイプ上に搭載された燃料タンクと、メインパイプの下方に配置されたエンジンと、前記燃料タンクの下方に配置された点火コイルとを有する自動二輪車において、前記メインパイプが、車幅方向に間隔を設けて配置された２本１対のパイプを含み、前記１対のパイプ間に架け渡され、該パイプ間に前記点火コイルが位置するように構成された樹脂製の点火コイル保持ステーを設けた点に第１の特徴がある。
【０００９】
また、本発明は、前記点火コイル保持ステーが、前記点火コイルを保持するほぼ水平に配置されたベースを備え、前記ベースには前記点火コイルの一部分が臨むように開口が設けられている点に第２の特徴がある。
【００１０】
また、本発明は、前記エンジンが多気筒であり、前記点火コイルが前記各気筒用に車体前後方向に複数個整列配置され、前記複数個の点火コイルのうち、車体後方寄りのものを車体前方寄りのものに対して下方にずらせて配置した点に第３の特徴がある。
【００１１】
さらに、本発明は、前記エンジンが２気筒であり、前記点火コイルが該２気筒に対応して２個設けられており、前記２個の点火コイルのうち車体前方寄りのものを前記開口を通じて一部分が前記ベースの下方に臨むように上方から取り付け、前記２個の点火コイルのうち車体後方よりのものを前記開口を通じて一部分が前記ベースの上方に臨むように下方から取り付けることによって、該２個の点火コイルのうち、車体後方寄りのものを車体前方寄りのものに対して下方にずらせている点に第４の特徴がある。
【００１２】
また、本発明は、前記メインパイプを構成する２本１対のパイプからそれぞれ下方に突出した一対の板部材からなるエンジンのハンガブラケットを備え、前記１対の板部材間の直上に前記車体後方寄りの点火コイルが配置されている点に第５の特徴がある。
【発明の効果】
【００１３】
第１の特徴を有する本発明によれば、点火コイルを、メインパイプを構成する２本のパイプ間に配置して外観上目立たないようにすることができるし、メインパイプから高さ方向に点火コイルが突出する量を小さくすることができるので、点火コイルをメインパイプ上に配置することにより燃料タンクの容量が制限されるのを防止することができる。
【００１４】
第２の特徴を有する本発明によれば、点火コイルが、ほぼ水平に配置された点火コイル保持ステーのベースから下方に臨むように配置されるので、走行風を下方から点火コイルに直接当てることができる。したがって、点火コイルで発生した熱を金属ステーを介して車体フレームに逃がす構造によらず、走行風によって点火コイルを冷却することができる。結果的に、金属ステーや、閉磁路を生じないようにするための非磁性体ボルトやワッシャ等が不要となる。
【００１５】
第３および第４の特徴を有する本発明によれば、複数の点火コイルのうち後方のものを前方のものに対して下方にずらせて配した。したがって、複数の点火コイルを車体前後方向に整列させて配置する場合に前方に配置される点火コイルによって走行風が遮られるのを防止することができるので、後方に配置される点火コイルの冷却効果を維持できる。
【００１６】
特に、第４の特徴を有する本発明によれば、２個の点火コイルのうち、後方のものを点火コイル保持ステーのベースに対して下方から、前方のものを該ベースに対して上方から取り付けることによって、２個の点火コイルのうち後方のものを前方のものに対して下方にずらせることができる。
【００１７】
第５の特徴によれば、一対の板部材間を走行風が通り抜けることができるので、ハンガブラケット直上に位置する後方側の点火コイルの下面を走行風によって冷却することができる。
【発明を実施するための最良の形態】
【００１８】
以下、図面を参照して本発明の一実施形態を説明する。図１は、本発明の一実施形態に係る自動二輪車の左側面図である。自動二輪車１は車体フレームの前部に設けられるヘッドパイプ２に回動自在に支持されたフロントフォーク３を有し、フロントフォーク３の上部には操向ハンドル４が取り付けられ、下部には前輪ＷＦが支持される。ヘッドパイプ２には、該ヘッドパイプ２から下方に延びるダウンパイプ５の前端が接合される。さらにヘッドパイプ２には、該ヘッドパイプ２から下後方に延びるメインパイプ６の前端が接合される。ダウンパイプ５およびメインパイプ６は車体後方に延び、乗員シート７の下方で互いに接合される。ダウンパイプ５はヘッドパイプ２から車体幅方向に開いて下方に延びる２本のパイプからなり、該２本のパイプにラジエータ８が取り付けられる。
【００１９】
ダウンパイプ５とメインパイプ６との間には、駆動部９つまりエンジン１０および変速装置１１が配置される。駆動部９はダウンパイプ６上に保持される。エンジン１０はＶ型２気筒エンジンであり、二つの気筒１０ａ、１０ｂの間には、エアクリーナ１２と、燃料噴射弁やスロットルバルブを備えた吸気管（図示せず）とが配置される。エンジン１０の回転をシャフトドライブ方式で後輪ＷＲに伝達するためのプロペラシャフト１３が設けられる。乗員シート７は図示しないシートパイプの上に配置され、後輪ＷＲはシートパイプに上端が連結されたリアクッション１４で懸架されている。メインパイプ６の上には燃料タンク３４が搭載される。燃料タンク３４は、車体幅方向にメインパイプ６を跨ぐ鞍型形状を有する。つまり燃料タンク３４の底部は凹部となっていて、この凹部に車体前後方向にメインパイプ６が通されている。
【００２０】
メインパイプ６の、エンジン１０の上には、エンジン１０の点火プラグ１５に高電圧を印加するための点火コイル１６、１７が取り付けられている。点火コイル１６、１７はフルトランジスタ式点火装置の点火コイルである。点火プラグ１５は後方気筒１０ｂのものだけを図示しているが、前方気筒１０ａにも同様に設けられる。点火コイル１６は前方気筒１０ａの、図示しない点火プラグ用であり、点火コイル１７は後方気筒１０ｂの点火プラグ１５用である。
【００２１】
点火コイル１６、１７の配置をさらに説明する。図２は、車体フレームの要部を示す右側斜視図、図３は同左側斜視図、図４は右側面図、図５は図４のＡ−Ａ位置での断面図である。図２〜図５において、メインパイプ６は、ヘッドパイプ２に前端が接合された前部分６ａと、前部分６ａにガセット６ｂを介して接合された２本の後部分６ｃ、６ｄとからなる。つまり、メインパイプ６はヘッドパイプ２に前端が接合され、後部で二股に分岐された形状をなしている。ダウンパイプ５は、ヘッドパイプ２に接合されたガセット５ａに前端が接合された２本のパイプ５ｂ、５ｃからなる。ガセット５ａとガセット６ｂとの間には補強パイプ１９が設けられる。
【００２２】
メインパイプ６上には樹脂製の点火コイル保持ステー２０が車体の前後方向に延在して設けられる。点火コイル保持ステー２０は、長手方向中央部の点火コイル保持ベースまたはビーム（以下、「保持ベース」と呼ぶ）２１と、保持ベース２１の車幅方向に位置し、長手方向に延びているフランジ２２、２３とを有する。フランジ２２、２３の前部左右にはそれぞれ、ウィング２４、２５が設けられる。また、フランジ２２、２３の後端部から下後方に延びたテール２６、２７が設けられる。ウィング２４、２５はガセット６ｂの左右外周面に沿うように形状が決定されており、テール２６、２７はメインパイプ６の後部分６ｃ、６ｄの外周面に沿うように形状が決定されている。
【００２３】
これらウィング２４、２５はガセット６ｂに左右外側からあてがわれ、テール２６、２７は後部分６ｃ、６ｄに左右内側からあてがわれて、点火コイル保持ステー２０がメインパイプ６上に保持される。さらに、点火コイル保持ステー２０は、前部でガセット６ｂにねじ止めされ、後部で後部分６ｃ、６ｄにねじ止めされて、メインパイプ６に固定される。ねじ止めのため、後部分６ｃ、６ｄにはねじ孔２８、２９がそれぞれ設けられ、テール２６、２７には長孔３０、３１がそれぞれ設けられる。また、点火コイル保持ステー２０の前部には、ねじを通す孔３２が設けられ、この孔３２に適合する図示しないねじ孔がガセット６ｂの上面に設けられる。
【００２４】
保持ベース２１には、点火コイル１６、１７がそれぞれ嵌る開口が設けられており、点火コイル１６、１７はこの開口にそれぞれ嵌められ、後述するように、それぞれの鉄心と保持ベース２１とをボルトによって接合し、固定される。
【００２５】
点火コイル１６は、その高電圧出力端子（以下、「出力端子」と呼ぶ）１６ａ、１６ｂが保持ベース２１の上側に位置するように配置され、点火コイル１７は、その出力端子１７ａ、１７ｂが保持ベース２１の下側に位置するように配置される。つまり、点火コイル１６、１７は互いに同形状のものであり、互いが上下反転した状態で保持ベース２１に取り付けられる。したがって、側面視では、車体前方側の点火コイル１６が車体後方側の点火コイル１７より上に位置するように段違いに配置されることになる。
【００２６】
出力端子１６ａ、１６ｂ、１７ａ、１７ｂには図示しないケーブルが接続され、該ケーブルは点火コイル保持ステー２０の後方に引き出されて下方に屈曲され、エンジン１０の気筒１０ａ、１０ｂに設けられた点火プラグ１５等に接続される。
【００２７】
図４、図５に示すように、メインパイプ６には、エンジン１０を懸架するためのハンガブラケット３３が接合されている。ハンガブラケット３３は、点火コイル１７の直下に位置していて、車体幅方向に一対つまり２枚の板部材３３ａ、３３ｂからなり、それぞれ上端がメインパイプ６の後部分６ｃ、６ｄに接合され、下部はエンジン１０の前側気筒１０ａおよび後側気筒１０ｂから延出されたアタッチメント部材４０にボルト４１で結合されている。つまり、点火コイル１７は一対の板部材３３ａ、３３ｂからなるハンガブラケット３３の間で、その上方に位置している。
【００２８】
なお、メインパイプ６のガセット６ｂ上には、金具３５がねじ止めされる。金具３５は燃料タンク３４の底部に設けられる図示しないステーと係合させて燃料タンク３４をメインパイプ６上に保持させるためのピン３６、３７を備えている。
【００２９】
前記点火コイル保持ステー２０と点火コイル１６、１７との配置構成による作用を説明する。図６は、点火コイル保持ステー２０と点火コイル１６、１７の要部を示す側面図であり、図４と同符号は同一または同等部分を示す。図６において右側が自動二輪車１の前側、つまり走行方向である。
【００３０】
点火コイル１６、１７は、それぞれ該コイルを貫通して突出している鉄心１６ｃ、１７ｃを有している。そして、これら鉄心１６ｃ、１７ｃの突出部は点火コイル保持ステー２０にそれぞれボルト・ナット方式（ボルト３８、ナット３９）で固定されている。なお、鉄心と点火コイル保持ステー２０との接合に用いられるナット３９は点火コイル保持ステー２０と別体で設けるのではなく、点火コイル保持ステー２０の保持ベース２１にインサートナットとして設けてもよい。
【００３１】
図６から明らかなように、走行風は矢印で示すように、メインパイプ６とエンジン１０の前側気筒１０ａとの間に流れ込み、保持ベース２１に設けられた開口から下方に下面が露出している点火コイル１６がこの走行風を受ける。一方、後方に配置される点火コイル１７は、下方にハンガブラケット３３が位置しているが、この点火コイル１７よりも点火コイル１６が上方に位置するように高さ方向に偏倚しているので、後方に配置される点火コイル１７の前面に走行風が当たり、かつ走行風はハンガブラケット３３と点火コイル１７との間を吹き抜ける。また、走行風は燃料タンク３４とメインパイプ６との隙間をも通り抜けて点火コイル１６、１７の上面を冷却する。
【００３２】
気筒１０ａの上部（シリンダヘッド）には輻射熱を遮るように、メッキ加工された化粧カバーが設けられており、この化粧カバーは、走行風を点火コイル１６、１７側に誘導する役目も果たす。
【００３３】
こうして、自動二輪車１のメインパイプ６に沿って長手方向に二つの点火コイル１６、１７を整列配置する場合、二つの点火コイル１６、１７の設置高さが互いにずれていなければ、下方にエンジン１０を懸架するハンガブラケット３３等に走行風が当たって、点火コイル１７側に当たりにくくなる。本実施形態では、二つの点火コイル１６、１７の双方に走行風が当たりやすくなるので、点火コイル保持ステー２０が樹脂製であって点火コイルは金属製部材に直接触れていないが、走行風により二つの点火コイルは十分に冷却される。
【００３４】
したがって、高出力フルトランジスタ方式の点火装置を搭載した自動二輪車において、熱放散させるための金属製ステーをメインパイプ等に設けることなく、また非磁性体のボルトやワッシャを用いることなく、点火コイルの冷却効果を向上させることができる。
【００３５】
なお、本発明は、この実施形態に限定されない。エンジンは２気筒に限らずさらに多くの気筒を有するエンジンであってもよいし、単気筒であってもよい。要は車幅方向に間隔を設けて配置された２本１対のパイプを含むメインパイプを有する自動二輪車において、該２本のパイプ間に点火コイルを位置させるように形成した樹脂製の点火コイル保持ステーを有し、さらに好ましくは、点火コイルが点火コイル保持ステーから下方に臨むように、該点火コイル保持ステーのベースに開口が設けられているのがよい。そして、複数の点火コイルを設ける場合は、車体前後方向に１列に整列させて、前方に配置される点火コイルに対して後方に配置される点火コイルを下方にずらせてあればよい。
【図面の簡単な説明】
【００３６】
【図１】本発明の一実施形態に係る自動二輪車の左側面図である。
【図２】本発明の一実施形態に係る自動二輪車の車体フレームの要部を示す右側斜視図である。
【図３】本発明の一実施形態に係る自動二輪車の車体フレームの要部を示す左側斜視図である。
【図４】本発明の一実施形態に係る自動二輪車の車体フレームの要部を示す右側面図である。
【図５】図４のＡ−Ａ位置での断面図である。
【図６】点火コイル保持ステーと複数の点火コイルの要部を示す側面図である。
【符号の説明】
【００３７】
１…自動二輪車、  ２…ヘッドパイプ、  ５…ダウンパイプ、  ６…メインパイプ、  ７…乗員シート、  １０…エンジン、  １０ａ…前方気筒、  １０ｂ…後方気筒、  １６、１７…点火コイル、  ２０…点火コイル保持ステー、  ２１…点火コイル保持ベース、  ３３…ハンガブラケット、  ３４…燃料タンク
【図１】
0005156968.tif 000002
【図２】
0005156968.tif 000003
【図３】
0005156968.tif 000004
【図４】
0005156968.tif 000005
【図５】
0005156968.tif 000006
【図６】
0005156968.tif 000007